(57)【特許請求の範囲】
【請求項１】
第１の音声データを含む放送コンテンツを入力する放送データ入力部と、
前記放送コンテンツ以外の第２の音声データを含む情報を入力するものであってプログラムの起動によって実現される少なくとも１以上のデータ入力部と、
前記第１の音声データに基づく出力音声および前記第２の音声データに基づく出力音声を入力し、出力音声の必要な範囲の周波数のみを通す動作を前記データ入力部の制御によって選択的に有効化または無効化される周波数制御部と、
を備え、
前記周波数制御部は、前記データ入力部が前記プログラムの起動に従って動作している場合に有効化されて当該データ入力部から出力される前記第２の音声データの出力音声については必要な範囲の周波数のみを通して出力し、前記プログラムが起動していない場合に無効化されることによって出力音声の必要な範囲の周波数のみを通す動作を実行せずに前記放送データ入力部から出力される前記第１の音声データの出力音声についてはそのまま出力する、
映像表示装置。
【請求項２】
第１の音声データを含む放送コンテンツを入力する放送データ入力部と、前記放送コンテンツ以外の第２の音声データを含む情報を入力するものであってプログラムの起動によって実現される少なくとも１以上のデータ入力部と、を備える映像表示装置におけるノイズ除去方法であって、
前記第１の音声データに基づく出力音声および前記第２の音声データに基づく出力音声を入力し、出力音声の必要な範囲の周波数のみを通す動作を実行する周波数制御部を、前記データ入力部の制御によって選択的に有効化または無効化する工程を含み、
前記工程においては、前記データ入力部が前記プログラムの起動に従って動作している場合に有効化されて当該データ入力部から出力される前記第２の音声データの出力音声については必要な範囲の周波数のみを通して出力し、前記プログラムが起動していない場合に無効化されることによって出力音声の必要な範囲の周波数のみを通す動作を実行せずに前記放送データ入力部から出力される前記第１の音声データの出力音声についてはそのまま出力する、
ノイズ除去方法。
【請求項３】
映像表示装置と、前記映像表示装置にネットワークで接続された情報処理装置とを備えた映像表示システムであって、
前記映像表示装置は、
第１の音声データを含む放送コンテンツを入力する放送データ入力部と、
前記放送コンテンツ以外の第２の音声データを含む情報を入力するものであってプログラムの起動によって実現される少なくとも１以上のデータ入力部と、
前記第１の音声データに基づく出力音声および前記第２の音声データに基づく出力音声を入力し、出力音声の必要な範囲の周波数のみを通す動作を前記データ入力部の制御によって選択的に有効化または無効化される周波数制御部と、
を備え、
前記周波数制御部は、前記データ入力部が前記プログラムの起動に従って動作している場合に有効化されて当該データ入力部から出力される前記第２の音声データの出力音声については必要な範囲の周波数のみを通して出力し、前記プログラムが起動していない場合に無効化されることによって出力音声の必要な範囲の周波数のみを通す動作を実行せずに前記放送データ入力部から出力される前記第１の音声データの出力音声についてはそのまま出力する、
映像表示システム。
【発明の詳細な説明】
【技術分野】
【０００１】
本発明の実施形態は、映像表示装置、ノイズ除去方法および映像表示システムに関する。
【背景技術】
【０００２】
従来、ネットワーク技術の向上に応じて、ネットワークを介して接続された通信機器間で、通話するための様々なアプリケーション等が提案されている。
【０００３】
そして、処理装置の高性能化及びソフトウェア技術の発展に伴い、デジタル機器が高機能化する傾向にある。これにより、デジタルテレビジョン表示装置も、様々な機能が搭載される傾向にある。これによりデジタルテレビジョン表示装置においても、例えばネットワークを介して接続された通信機器からテレビ番組情報を取得することが可能となった。
【０００４】
さらには、デジタルテレビジョン表示装置に、ネットワークを介して接続された他の通信機器との間で通話するＩＰ電話機能も提案されている。このようなＩＰ電話機能では、高度に音声のノイズを除去、高品質の音声を出力することが求められている。
【０００５】
一方、デジタルテレビジョン表示装置では、スピーカにバンドパスフィルタ回路を搭載することにより、ノイズを除去するようにしたものがある。また、イコライザでバンドパスを調整することによって、ノイズを除去する方法も知られている。
【先行技術文献】
【特許文献】
【０００６】
【特許文献１】特開２００８−２０７７６８号公報
【発明の概要】
【発明が解決しようとする課題】
【０００７】
しかしながら、スピーカに搭載したバンドパスフィルタ回路でノイズ除去を常時行うような設定にしてしまうと、デジタルテレビジョン表示装置の省電力性能に影響がでたり、ＩＰ電話機能など他の機能の音質に悪影響がでたりするなどの副作用がでてしまう問題があった。
【０００８】
本発明は、上記に鑑みてなされたものであって、映像表示装置の省電力性能に影響を与えることなく、ＩＰ電話機能から出力される音声データについて、高品質な音声を出力することができる映像表示装置、ノイズ除去方法および映像表示システムを提供することを目的の一つとする。
【課題を解決するための手段】
【０００９】
実施形態の映像表示装置は、第１の音声データを含む放送コンテンツを入力する放送データ入力部と、前記放送コンテンツ以外の第２の音声データを含む情報を入力するものであってプログラムの起動によって実現される少なくとも１以上のデータ入力部と、前記第１の音声データに基づく出力音声および前記第２の音声データに基づく出力音声を入力し、出力音声の必要な範囲の周波数のみを通す動作を前記データ入力部の制御によって選択的に有効化または無効化される周波数制御部と、を備え、前記周波数制御部は、前記データ入力部が前記プログラムの起動に従って動作している場合に有効化されて当該データ入力部から出力される前記第２の音声データの出力音声については必要な範囲の周波数のみを通して出力し、前記プログラムが起動していない場合に無効化されることによって出力音声の必要な範囲の周波数のみを通す動作を実行せずに前記放送データ入力部から出力される前記第１の音声データの出力音声についてはそのまま出力する。
【図面の簡単な説明】
【００１０】
【図１】図１は、第１の実施形態にかかるデジタルテレビジョン受像装置の利用環境を示した図である。
【図２】図２は、映像表示装置と同映像表示装置に組み込まれる通信装置の一例を示した図である。
【図３】図３は、ＩＰ電話部における機能を示したブロック図である。
【図４】図４は、テレビ電話データのデータ構造を示す図である。
【図５】図５は、ディスプレイに表示される着信の表示画面の例を示す図である。
【図６】図６は、ディスプレイに表示される送信者映像の表示画面の例を示す図である。
【図７】図７は、ＩＰ電話部におけるノイズ除去制御処理の流れを示すフローチャートである。
【図８】図８は、第２の実施形態のＩＰ電話部における機能を示したブロック図である。
【図９】図９は、ＩＰ電話部におけるノイズ除去制御処理の流れを示すフローチャートである。
【図１０】図１０は、第３の実施形態のＩＰ電話部におけるノイズ除去制御処理の流れを示すフローチャートである。
【発明を実施するための形態】
【００１１】
＜第１の実施形態＞
以下、第１の実施形態について図面を参照して説明する。図１は、第１の実施形態にかかる映像表示装置１００としてのデジタルテレビジョン受像装置の利用環境を示した図である。図１に示すように、本実施形態にかかる映像表示装置１００は、デジタルテレビジョン受像装置として、受信した番組コンテンツを、表示画面１０１に表示する機能を備えている。また、映像表示装置１００は、パーソナルコンピュータやデジタルテレビジョンなどの情報処理装置である通信機器１８０とインターネット通信回線などのネットワーク１５０を介して接続されて、映像表示システム１を構成する。
【００１２】
さらに、映像表示装置１００は、ネットワーク１５０を介して接続された他の通信機器との間でテレビ電話等を用いて通話可能とする機能が搭載されている。これにより、通信機器１８０との間で、テレビ電話等を用いたコミュニケーションを取ることができる。また、リモートコントローラ１２０は、番組を選択する場合に限らず、通話を行う場合にも利用される。
【００１３】
このようなコミュニケーションを可能とするために、映像表示装置１００には、通話等を行うためのＩＤが割り当てられている。そして、通信機器１８０が、映像表示装置１００に対して通話を行いたい場合に、通話先として当該ＩＤを選択すればよい。
【００１４】
図２は、実施形態にかかる映像表示装置と同映像表示装置に組み込まれる通信装置の一例を示した図である。なお、以下に説明する要素や構成、あるいは機能は、ハードウェアで実現するものであってもよいし、マイクロコンピュータ（処理装置、ＣＰＵ）等、を用いてソフトウェアで実現するものであってもよい。
【００１５】
図２が示す映像表示装置１００は、例えばテレビジョン放送を受信して音声（オーディオ）及び映像（ビデオ）を再生するデジタルテレビジョン受像装置を含んでいる。
【００１６】
映像表示装置１００は、少なくともデジタル放送の番組すなわちコンテンツを受信し、再生する。なお、映像表示装置１００は、ネットワーク１５０を通じて供給されるコンテンツの受信を可能とする。また、映像表示装置１００は、ネットワーク１５０を通じて接続される任意の接続相手先との間で、ＩＰ（Internet  Protocol）を用いた音声（オーディオを含む）及び動画（ビデオ）を用いたＩＰ電話の利用を可能とする。そして、映像表示装置１００は、ネットワーク１５０を介して、ＩＰ電話サーバ２８０と接続されているものとする。
【００１７】
映像表示装置１００のチューナ部２１１は、放送データ入力部として機能するものであり、アンテナや外部入力端子を介して第１の音声データを含む放送コンテンツ（番組）を受信する。そして、分離（Ｄｅｍｕｘ）部２１２が、受信した放送コンテンツを、映像データと、音声（オーディオ）データと、に分離する。
【００１８】
映像処理ブロック２２１が、映像デコーダ２２２と、映像処理部２２３と、を備える。そして、映像デコーダ２２２は、分離部２１２により分離された映像データをデコードして映像処理部２２３に出力する。
【００１９】
映像処理部２２３は、映像デコーダ２２２から出力された映像データを、後段のディスプレイ２２４で表示可能に処理する。本実施形態にかかる映像処理部２２３は、映像データに対して、所定の解像度、フレームレート及び出力方式、例えばインターレース（ｉ）／ノンインターレース（ｐ）等に変換する。そして、映像処理部２２３は、変換した後の映像データを、ディスプレイ２２４に供給する。なお、映像処理部２２３の出力先として、例えば外部モニタ装置あるいは投影装置（プロジェクタ装置）等が接続可能な、出力端２２５を選択しても良い。
【００２０】
一方、分離部２１２により分離された音声データは、音声処理ブロック２３１に入力される。音声処理ブロック２３１は、音声デコーダ２３２と、音声処理部２３３と、遅延部２３４と、Ｄ−Ａコンバータ２３５と、を備える。
【００２１】
そして、音声デコーダ２３２は、入力された音声データをデコードして音声処理部２３３に出力する。
【００２２】
音声デコーダ２３２によりデコードされた音声データは、音声処理部２３３に入力される。そして、音声処理部２３３は、入力された音声データを、音声出力装置で再生可能に処理し、遅延部２３４に出力する。そして、遅延部２３４は、入力された音声データに対して、映像処理部２２３が出力する映像データとの間の時間的な整合のために、所定時間の遅延を与える（音声（オーディオ）出力を遅延させる）。そして、遅延が与えられた後の音声データは、Ｄ−Ａコンバータ２３５に入力される。そして、Ｄ−Ａコンバータ２３５は、入力された音声データから、アナログの音声（オーディオ）出力を得る。
【００２３】
Ｄ−Ａコンバータ２３５から出力されたアナログの音声は、例えばスピーカ２３６に入力される。なお、Ｄ−Ａコンバータ２３５から出力されたアナログの音声は、ＡＶ（Audio  Visual）アンプ等が接続可能な出力端２３７に対して、分岐入力しても良い。
【００２４】
スピーカ２３６には、ノイズを除去する目的で、周波数制御部であるバンドパスフィルタ（Band-pass  filter：ＢＰＦ）回路２３６ａが搭載されている。バンドパスフィルタ回路２３６ａは、ＲＬＣ回路（抵抗、コイル、コンデンサ）で構成されており、必要な範囲の周波数のみを通し、他の周波数は通さない（減衰させる）ようにする。バンドパスフィルタ回路２３６ａは、ハイパスフィルタとローパスフィルタを組み合わせることで作成できる。なお、周波数制御部として、音声信号の周波数特性を変更するイコライザ（Equalizer）を適用しても良い。
【００２５】
また、遅延部２３４により所定時間の遅延が与えられた音声（オーディオ）データは、ＩＰ電話制御部２４１にも入力可能とする。ＩＰ電話制御部２４１は、通信セット２４４と接続可能とする。通信セット２４４は、例えば、マイクロフォン２４２と、イヤホン２４３と、カメラ２４６と、を含む。また、イヤホン２４３の代わりに、音声再生部として、低出力の音声再生向けスピーカであってもよい。カメラ２４６は、外部の環境に存在するユーザの顔等を撮像する。
【００２６】
また、ＩＰ電話制御部２４１は、Ａ−Ｄコンバータ２４５と、カメラ映像処理部２４８と、を含み、アナログの音声出力を行うＤ−Ａコンバータ２３５を音声（オーディオ）処理ブロック２３１と共用する。Ａ−Ｄコンバータ２４５は、マイクロフォン２４２から入力されたアナログの音声を、音声（オーディオ）データに変換する。カメラ映像処理部２４８は、カメラ２４６から入力されたデータに対して処理を行い、映像データを生成する。
【００２７】
主制御ブロック２５１は、映像表示装置１００の、スピーカ２３６（バンドパスフィルタ回路２３６ａ）、チューナ部２１１、分離部２１２、音声処理ブロック２３１及びＩＰ電話制御部２４１のそれぞれを制御し、所定の動作を実行させる。
【００２８】
主制御ブロック（Main  Processing  Unit，以下、ＭＰＵと称す）２５１は、当該装置を制御する制御部であるＣＰＵ（Central  Processing  Unit）２５２と、ＲＯＭ２５６と、ＲＡＭ２５７と、ＧＵＩ制御部２５４と、ネットワーク制御部２５５と、操作入力部２５３と、を少なくとも備える。
【００２９】
ＲＯＭ２５６は、動作プログラムを保持する。ＲＡＭ２５７は、ワークメモリとして機能する。ＧＵＩ制御部２５４は、ディスプレイ２２４に表示するＧＵＩ（Graphical  User  Interface，グラフィカルユーザインタフェース）の表示、及びＧＵＩからのユーザ入力を処理する。
【００３０】
また、ＣＰＵ２５２は、ＮＶＲＡＭ（non-volatile  ＲＡＭ）２６１と接続されている。ＮＶＲＡＭ２６１は、不揮発性の書き換え可能な記憶デバイスであって、ＣＰＵ２５２からの制御に従って様々なデータを記憶する記憶手段として機能する。
【００３１】
ネットワーク制御部２５５は、ネットワーク１５０との間の接続、すなわちネットワーク１５０からのさまざまな情報の取得及びネットワーク１５０へのユーザからのアクセス等を制御する。本実施形態においては、ネットワーク制御部２５５は、テレビ電話システムによる他の通信機器との間で、コミュニケーションを行うためのデータを送受信する。
【００３２】
また、ＭＰＵ２５１には、操作入力部２５３が接続されている。操作入力部２５３は、ユーザからの制御入力を受け付ける。また、操作入力部２５３は、例えばチューナ（入力）部２１１が選択するチャンネルを特定するチャンネルキー（ボタン）や、電源のオン／オフに用いる電源スイッチを備える。さらに、操作入力部２５３は、リモートコントローラ１２０からの指示や制御入力を受け付ける。その上、操作入力部２５３は、文字や記号あるいは数字等の入力を可能とするキー操作入力部（キーボード）等が接続されてもよい。
【００３３】
リモートコントローラ１２０は、チャンネルキーや、電源スイッチを備えるほか、ＩＰ電話による通話を開始するための操作キーを備える。そして、当該操作キーによる操作が行われた場合に、操作入力部２５３が、当該操作に基づく指示等を受け付ける。
【００３４】
ＣＰＵ２５２は、ＲＯＭ２５６に格納された動作プログラムを読み出した後、ＲＡＭ２５７を作業領域として用いて当該動作プログラムによる制御を行う。この動作プログラムには、オペレーティングシステム（Operating  System：ＯＳ）、ＴＶプログラム等のアプリケーションや各種ドライバの他、映像処理プログラムおよびＩＰ電話プログラムが含まれている（図７参照）。
【００３５】
映像処理プログラムは、上述した映像処理ブロック２２１（映像デコーダ２２２および映像処理部２２３）を実現するためのプログラムである。
【００３６】
ＩＰ電話プログラムは、ネットワーク１５０を用いて、通信機器１８０等とテレビ電話等による通話を行うデータ入力部であるＩＰ電話部２６０を実現するためのプログラムである。ＩＰ電話プログラムは、周知のプログラムで提供される機能を含んでいてもよく、例えばＳｋｙｐｅ（登録商標）社が提供するインターネット電話「Ｓｋｙｐｅ」の機能を利用しても良い。なお、データ入力部はＩＰ電話部２６０に限るものではなく、放送コンテンツ以外の音声データを含む情報を入力する入力部であれば良いし、データ入力部は複数存在するものであっても良い。
【００３７】
そして、ＩＰ電話部２６０は、通信セット２４４のマイクロフォン２４２により集音されたユーザの音声を示した音声データをパケット化し、ネットワーク１５０を介して接続された通信相手先に送信する。また、ＩＰ電話部２６０は、カメラ２４６を利用する場合、ユーザを撮像した映像データをパケット化し、音声データとともに送信する。
【００３８】
また、ＩＰ電話部２６０は、ネットワーク制御部２５５を介して、通信相手先から情報を受信した場合、当該情報から音声データ（第２の音声データ）や映像データを分離し、復号化する。そして、復号化された音声データは、音声処理ブロック２３１に出力される。そして、音声処理ブロック２３１の音声処理部２３３により処理が行われた音声データは、Ｄ−Ａコンバータ２３５に出力される。これにより、スピーカ２３６又はイヤホン２４３から、相手からの音声が出力される。
【００３９】
なお、詳細は後述するが、スピーカ２３６においては、ＩＰ電話部２６０からの音声データ（第２の音声データ）においては高品質の音声を出力することが求められていることから、ＩＰ電話部２６０からの制御に従ってバンドパスフィルタ回路２３６ａが動作する。
【００４０】
一方、復号化された映像データは、映像処理ブロック２２１に出力される。映像処理ブロック２２１の映像処理部２２３は、復号化された映像データである、ＪＰＥＧ（Joint  Photographic  Experts  Group）に代表される静止画や、例えばＭＰＥＧ（Moving  Picture  Experts  Group）−２，ＭＰＥＧ−４（Ｈ．２６４−ＡＶＣ）に代表される動画を再生できる。このように、映像処理部２２３は、コンテンツを再生する時の処理の他、ＩＰ電話による映像データを再生する時の処理も行う。
【００４１】
次に、ＩＰ電話部２６０における処理について説明する。図３は、ＩＰ電話部２６０における機能を示したブロック図である。図３に示すように、ＩＰ電話部２６０は、映像データ符号化部３１０と、音声データ符号化部３１１と、テレビ電話データ生成部３１２と、テレビ電話データ送信部３１３と、テレビ電話データ受信部３０２と、テレビ電話データ分離部３０３と、映像データ復号化部３０４と、音声データ復号化部３０５と、通話機能制御部３０６と、カメラ映像符号化部３０８と、マイク音声符号化部３０９と、を有している。
【００４２】
本実施形態にかかる映像表示装置１００においては、上述した構成を備えることで、テレビ電話としての機能を有する。
【００４３】
本実施形態では、映像表示装置１００と、通信機器１８０と、の間でテレビ電話を用いて通話している場合、映像表示装置１００と通信機器１８０との間でテレビ電話データが送受信されている。
【００４４】
図４は、テレビ電話データのデータ構造を示す図である。図４に示すように、テレビ電話データ４００は、映像データ４０１と、音声データ４０２と、通話制御データ４０３と、から構成されている。映像データ４０１は、カメラ２４６から入力された映像を符号化したデータを示す。音声データ４０２は、マイクロフォン２４２から入力された音声を符号化したデータを示す。
【００４５】
通話制御データ４０３は、テレビ電話を行う際の制御に用いられるデータを示す。本実施形態にかかる通話制御データ４０３は、通話発信者ＩＤ４１１と、通話発信者プロフィール情報４１２と、通話受信者ＩＤ４１３と、から構成されている。
【００４６】
通話発信者ＩＤ４１１及び通話受信者ＩＤ４１３は、テレビ電話システムに接続する各通信装置（映像表示装置１００を含む）又は各ユーザに対して、重複が無いようＩＰ電話サーバ２８０から割り振られたＩＤとする。そして、通話発信者プロフィール情報４１２には、通話発信者のＩＰアドレス、機器固有アドレス、通話発信者の名前、及び住所等の個人情報が格納されている。
【００４７】
このテレビ電話データ４００を送受信することで、映像表示装置１００を含んだ複数の通信装置間で、テレビ電話による通話を行うことができる。
【００４８】
図３に戻り、本実施形態にかかる映像表示装置１００では、テレビ電話による通話時に、カメラ２４６で撮像した映像データと、マイクロフォン２４２で集音した音声データと、を含めたテレビ電話データを、ネットワーク制御部２５５を介して送信する。さらに、映像表示装置１００では、ネットワーク制御部２５５を介して受信したテレビ電話データから分離した映像データを、ディスプレイ２２４で表示し、受信したテレビ電話データから分離した音声データを、スピーカ２３６から出力する。本実施形態にかかる映像データは、動画像データ又は静止画像データのどちらでも良いものとする。
【００４９】
さらに、映像表示装置１００では、リモートコントローラ１２０から、操作入力部２５３を介して、ユーザの指示を受信し、テレビ機能及びテレビ電話機能を制御する。
【００５０】
カメラ映像符号化部３０８は、カメラ映像処理部２４８で生成された映像データに対して符号化処理を行い、カメラ２４６で撮像された映像データを取得する。
【００５１】
マイク音声符号化部３０９は、Ａ−Ｄコンバータ２４５により変換された音声データに対して符号化処理を行うことで、マイクロフォン２４２で集音された音声データを取得する。
【００５２】
テレビ電話データ受信部３０２は、ネットワーク制御部２５５を介して、通信機器１８０から、コミュニケーションするための情報であるテレビ電話データを受信する。そして、テレビ電話データ受信部３０２が受信したテレビ電話データは、テレビ電話データ分離部３０３に出力される。
【００５３】
テレビ電話データ分離部３０３は、テレビ電話データ受信部３０２から入力されたテレビ電話データを、映像データ４０１と、音声データ４０２と、通話制御データ４０３と、に分離する。分離された通話制御データ４０３は、そのまま通話機能制御部３０６に入力される。
【００５４】
映像データ復号化部３０４は、分離された映像データ４０１に対して、復号化処理を施し、通話機能制御部３０６に出力する。音声データ復号化部３０５は、分離された音声データ４０２に対して、復号化処理を施し、通話機能制御部３０６に出力する。
【００５５】
通話機能制御部３０６は、通信機器１８０との間のテレビ電話による通話機能の制御を行う。例えば、通話機能制御部３０６は、テレビ電話データ分離部３０３で分離された通話制御データ４０３が入力された場合に、通話制御データ４０３に含まれている通話受信者ＩＤ４１３が、自装置である映像表示装置１００を識別するＩＤと一致しているか否かを判定する。そして、通話機能制御部３０６は、一致していることを判定した場合に、着信を許可する。
【００５６】
図５は、ディスプレイ２２４に表示される着信の表示画面の例である。図５に示すように、表示画面１０１において、コンテンツの上に、着信通知ウィンドウ７０１が重畳表示される。この着信通知ウィンドウ７０１には、通話を開始するための通話開始ボタン７０２と、着信を強制的に切断するための着信切断ボタン７０３と、発信者のプロフィールが記載されたプロフィール情報欄７０４と、発信者からの要件を録音する留守番電話ボタン７０５と、が含まれている。そして、発信者との通話は、テレビ電話のユーザが、通話開始ボタン７０２を選択した場合に限り、開始される。
【００５７】
そして、通話機能制御部３０６は、通話開始ボタン７０２を選択した場合に限り、当該通話発信者ＩＤ４１１で識別される通信機器１８０との間の通話制御を開始する。なお、通話制御が開始された場合、通話機能制御部３０６は、映像データ復号化部３０４により復号化された送信者側の映像データ４０１を映像処理部２２３に出力する。
【００５８】
さらに、通話機能制御部３０６は、音声データ復号化部３０５により復号化された音声データ４０２に対して、各種処理を実施し、音声処理部２３３に出力する。
【００５９】
これにより、映像処理部２２３が映像データの合成等をした後、図６に示すように、ディスプレイ２２４が送信者側の映像データ８０１を表示する。また、音声処理部２３３が音声データの合成等を行い、Ｄ−Ａコンバータ２３５で音声に変換された後、送信者側の音声がスピーカ２３６から出力される。
【００６０】
上述したように、映像表示装置１００で動作させる放送受信表示、他のアプリケーション表示中は、Ｓｋｙｐｅ等のＩＰ電話の通話機能の画面は表示されない。また、ＴＶプログラム等のアプリケーション実行中に着信があった場合、着信がある旨のみを表示画面１０１に表示し、ユーザがＴＶプログラム等のアプリケーションを終了させ、リモートコントローラ１２０によりＩＰ電話プログラムを起動させてＩＰ電話の通話機能を動作させて、着信対応を行う。
【００６１】
なお、通話制御が開始された場合、通話機能制御部３０６は、映像データ復号化部３０４により復号化された、送信者側の映像データ４０１と、カメラ映像符号化部３０８から入力された、受信者側の映像データと、を重畳し、映像処理部２２３に出力するようにしても良い。この場合、ディスプレイ２２４は、送信者側及び受信者側等を含んだ映像データを表示する。
【００６２】
次に、本実施形態にかかる映像表示装置１００のＩＰ電話部２６０におけるノイズ除去制御処理について説明する。
【００６３】
ここで、図７はノイズ除去制御処理の流れを示すフローチャートである。図７に示すように、ＩＰ電話プログラムの起動に従い（ステップＳ１のＹｅｓ）、ＩＰ電話部２６０は、スピーカ２３６のバンドパスフィルタ回路２３６ａをオン（有効化）にする（ステップＳ２）。
【００６４】
また、ＩＰ電話プログラムの終了に従い（ステップＳ３のＹｅｓ）、ＩＰ電話部２６０は、スピーカ２３６のバンドパスフィルタ回路２３６ａをオフ（無効化）にする（ステップＳ４）。
【００６５】
このように本実施形態の映像表示装置１００によれば、ＩＰ電話部２６０から出力される音声データ（第２の音声データ）について、必要な範囲の周波数のみを通し、ノイズを構成する他の周波数は通さない（減衰させる）ようにすることで、スピーカ２３６から相手からの高品質な音声を出力することができる。一方、放送コンテンツの音声データ（第１の音声データ）についてはバンドパスフィルタ回路２３６ａを動作させずにスピーカ２３６から出力することにより、映像表示装置１００の省電力性能に影響を与えることはない。
【００６６】
＜第２の実施形態＞
次に、第２の実施形態について図面を参照して説明する。なお、前述した第１の実施形態と同じ部分は同じ符号で示し説明も省略する。
【００６７】
図８は、第２の実施形態のＩＰ電話部２６０における機能を示したブロック図である。図８に示すように、第２の実施形態のＩＰ電話部２６０の通話機能制御部３０６は、ノイズ除去部３０６ａを備えている。
【００６８】
ノイズ除去部３０６ａは、音声データ復号化部３０５により復号化された音声データ４０２に対して、ノイズと見なされる成分を除去するノイズリダクション処理、またはマイクロフォン２４２で拾った周囲のノイズの波形を逆位相に変換したものを被せてノイズを消すノイズキャンセリング処理、あるいは特定周波数帯域のデータを取り出すバンドパスフィルタ処理などのノイズ除去処理を実施し、音声処理部２３３に出力する。
【００６９】
次に、本実施形態にかかる映像表示装置１００のＩＰ電話部２６０におけるノイズ除去制御処理について説明する。
【００７０】
図９は、ＩＰ電話部２６０におけるノイズ除去制御処理の流れを示すフローチャートである。図９に示すように、ＩＰ電話部２６０は、ノイズ除去部３０６ａによるノイズ除去処理のＣＰＵ使用率が所定値を超えた場合（ステップＳ１１のＹｅｓ）、ノイズ除去部３０６ａの負荷を下げる目的で、スピーカ２３６のバンドパスフィルタ回路２３６ａをオン（有効化）にして（ステップＳ１２）、ノイズ除去部３０６ａによるノイズ除去処理の一部をバンドパスフィルタ回路２３６ａに委譲させる（ステップＳ１３）。例えば、ノイズ除去部３０６ａは、バンドパスフィルタ回路２３６ａで通す周波数範囲のみノイズリダクション処理を実行するようにすれば、ノイズ除去部３０６ａの負荷を下げることができる。
【００７１】
なお、ＣＰＵ使用率の算出については、既に知られているので、その説明は省略する。ＣＰＵ使用率の値が大きいほど、そのプロセスが現時点でＣＰＵ２５２に対し大きな負荷をかけていることになる。
【００７２】
また、ＩＰ電話部２６０は、ノイズ除去部３０６ａによるノイズ除去処理のＣＰＵ使用率が所定値を超えていない（下回った）場合（ステップＳ１１のＮｏ）、スピーカ２３６のバンドパスフィルタ回路２３６ａをオフ（無効化）にする（ステップＳ１４）。
【００７３】
このように本実施形態の映像表示装置１００によれば、ノイズ除去部３０６ａによるノイズ除去処理のＣＰＵ使用率が所定値を超えた場合にのみスピーカ２３６のバンドパスフィルタ回路２３６ａを駆動するので、ノイズ除去部３０６ａのノイズ除去処理によるＣＰＵリソースの消費量を抑制することができるとともに、映像表示装置１００の省電力性能に与える影響を抑制することができる。
【００７４】
＜第３の実施形態＞
次に、第３の実施形態について図面を参照して説明する。なお、前述した第１の実施形態または第２の実施形態と同じ部分は同じ符号で示し説明も省略する。
【００７５】
本実施形態にかかる映像表示装置１００のＩＰ電話部２６０におけるノイズ除去制御処理について説明する。
【００７６】
図１０は、第３の実施形態のＩＰ電話部２６０におけるノイズ除去制御処理の流れを示すフローチャートである。図１０に示すように、ＩＰ電話部２６０は、ノイズ除去部３０６ａによるノイズ除去処理の一定期間におけるＣＰＵ使用時間の累積値が所定値を超えた場合（ステップＳ２１のＹｅｓ）、ノイズ除去部３０６ａの負荷を下げる目的で、スピーカ２３６のバンドパスフィルタ回路２３６ａをオン（有効化）にして（ステップＳ２２）、ノイズ除去部３０６ａによるノイズ除去処理の一部をバンドパスフィルタ回路２３６ａに委譲させる（ステップＳ２３）。例えば、ノイズ除去部３０６ａは、バンドパスフィルタ回路２３６ａで通す周波数範囲のみノイズリダクション処理を実行するようにすれば、ノイズ除去部３０６ａの負荷を下げることができる。
【００７７】
なお、一定期間におけるＣＰＵ使用時間の累積値の算出については、既に知られているので、その説明は省略する。ＣＰＵ使用率の値が小さくても、一定期間におけるＣＰＵ使用時間の累積値が大きければ、そのプロセスは継続的にＣＰＵ２５２に負荷をかけていたことになる。
【００７８】
また、ＩＰ電話部２６０は、ノイズ除去部３０６ａによるノイズ除去処理の一定期間におけるＣＰＵ使用時間の累積値が所定値を超えていない（下回った）場合（ステップＳ２１のＮｏ）、スピーカ２３６のバンドパスフィルタ回路２３６ａをオフ（無効化）にする（ステップＳ２４）。
【００７９】
このように本実施形態の映像表示装置１００によれば、ノイズ除去部３０６ａによるノイズ除去処理の一定期間におけるＣＰＵ使用時間の累積値が所定値を超えた場合にのみスピーカ２３６のバンドパスフィルタ回路２３６ａを駆動するので、ノイズ除去部３０６ａのノイズ除去処理によるＣＰＵリソースの消費量を抑制することができるとともに、映像表示装置１００の省電力性能に与える影響を抑制することができる。
【００８０】
なお、上述した各実施形態の映像表示装置１００で実行されるＩＰ電話プログラムは、ＲＯＭ２５６等に予め組み込まれて提供される。
【００８１】
上述した各実施形態の映像表示装置１００で実行されるＩＰ電話プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００８２】
さらに、上述した各実施形態の映像表示装置１００で実行されるＩＰ電話プログラムを、インターネット等のネットワークに接続されたコンピュータ上に格納し、ネットワーク経由でダウンロードさせることにより提供するように構成しても良い。
【００８３】
上述した各実施形態の映像表示装置１００で実行されるＩＰ電話プログラムは、上述した各部（ＩＰ電話部２６０）を含むモジュール構成となっており、実際のハードウェアとしてはＣＰＵ（プロセッサ）が上記ＲＯＭ２５６からＩＰ電話プログラムを読み出して実行することにより上記各部が主記憶装置上にロードされ、ＩＰ電話部２６０が主記憶装置上に生成されるようになっている。
【００８４】
また、各実施形態では、映像表示装置１００としてデジタルテレビジョン受像装置に適用した例をあげて説明したが、例えば、ＨＤＤレコーダ、チューナ、セットトップボックス等にも映像表示装置１００を適用することができる。
【００８５】
なお、本発明は、上記実施形態そのままに限定されるものではなく、実施段階ではその要旨を逸脱しない範囲で構成要素を変形して具体化することができる。また、上記実施形態に開示されている複数の構成要素の適宜な組み合わせにより、種々の発明を形成することができる。例えば、実施形態に示される全構成要素からいくつかの構成要素を削除してもよい。さらに、異なる実施形態にわたる構成要素を適宜組み合わせても良い。
【符号の説明】
【００８６】
１        映像表示システム
１００    映像表示装置
１５０    ネットワーク
１８０    情報処理装置
２１１    放送データ入力部
２３６ａ    周波数制御部
２５２    制御部
２６０    データ入力部
３０６ａ    ノイズ除去部
【図１】
0005175948.tif 000002
【図２】
0005175948.tif 000003
【図３】
0005175948.tif 000004
【図４】
0005175948.tif 000005
【図５】
0005175948.tif 000006
【図６】
0005175948.tif 000007
【図７】
0005175948.tif 000008
【図８】
0005175948.tif 000009
【図９】
0005175948.tif 000010
【図１０】
0005175948.tif 000011